(57)【特許請求の範囲】
【請求項１】
左右両側の後側支柱の下端部に、前方に向かって延出するベース脚を取り付けて、左右のベース脚の上端間に棚板を架設するとともに、左右のベース脚の前端部に連結金具を取り付け、前記連結金具におけるベース脚への取り付け部分より前方に位置する前面と、左右両側の前側支柱の後面との間に連結手段を設け、かつ、前記ベース脚の前端部の内側面に、左右方向を向くキックプレートの左右両端部を取り付けたことを特徴とする商品陳列装置。
【請求項２】
連結金具に、キックプレートの左右両端部の前面が当接する第１の受部を形成したことを特徴とする請求項１記載の商品陳列装置。
【請求項３】
ベース脚の外側面に、ベース脚の側面を覆うベースカバーを取り付けるとともに、連結金具に、前記ベースカバーの前端面が当接する第２の受部を形成したことを特徴とする請求項１または２記載の商品陳列装置。
【請求項４】
キックプレートの左右両端部に係止孔を設け、この係止孔を、ベース脚の前端部の内側面に突設した上向係止片に係合したことを特徴とする請求項１〜３のいずれかに記載の商品陳列装置。
【請求項５】
ベース脚の前端部の外側面に上向係止片を突設し、この上向係止片に、連結金具の後部に突設された後向き片の係止孔と、ベースカバーの前端部の内側面に設けられた係止孔とを係合したことを特徴とする請求項３または４のいずれかに記載の商品陳列装置。
【請求項６】
連結手段が、前側支柱の後面に突設された後向きの軸部と、軸部の後端部に設けられた軸部より大径の頭部とからなる係合ピンと、連結金具の前面に穿設された、前記頭部が挿入しうる大径孔と、大径孔の下部に連続して設けられた前記軸部が係合する、大径孔より小幅の下方を向く長孔とからなる係合孔とを備えることを特徴とする請求項１〜５のいずれかに記載の商品陳列装置。
【発明の詳細な説明】
【０００１】
【発明の属する技術分野】
本発明は、少なくとも四隅に支柱を備え、その下端部に棚部を形成した商品陳列装置に関する。
【０００２】
【従来の技術】
この種の商品陳列装置の従来例としては、実開平１０−２１１０６８号公報に記載されているものがある。
【０００３】
この商品陳列装置は、左右両側の後側の支柱の下端部に、前後方向を向くベース脚の後端部を取り付け、隣り合うベース脚間にほぼ水平の棚板を架設するとともに、ベース脚の前端部に左右１対の前側の支柱を連結し、かつ前側の支柱の下端部前面に、左右方向を向くキックプレートの左右両端部を取り付けている。
また、左右両端部のベース脚の外側面には、ベース脚を覆うベースカバーが取り付けられている。
【０００４】
【発明が解決しようとする課題】
しかし、この商品陳列装置では、キックプレートが、前側の支柱の前面に取り付けられているので、棚板の前縁より前方に位置することにより、顧客が棚板上の商品を手にしようとする時、顧客の足先がキックプレートに当接して、棚板への接近が妨げられ、棚板上の商品を取りずらいという問題がある。
【０００５】
また、キックプレートが支柱より前方に突出していると、前方からだけでなく、側方からの見栄えが悪く、キックプレートによって商品陳列装置の体裁が損なわれる。
【０００６】
さらに、キックプレートは、その左右両端部に設けられた下向きフックが、前側の支柱の前面に設けられた係止孔に係合することにより、左右の前側の支柱間に取り付けられているので、前後方向または左右方向にがたつくおそれがあり、また、例えばキックプレートに前斜め上向きの力が掛かった場合には、キックプレートが前側の支柱から不意に外れてしまうおそれがある。
【０００７】
ベースカバーの前端部は、そこに設けられた後方を向く下向きフックが、前側の支柱の前面に設けられた上記の係止孔に係合することにより、前側の支柱に取り付けられているので、ベースカバーに前斜め上向きの力が掛かった場合には、キックプレートと同様に、ベースカバーが前側の支柱から不意に外れてしまうおそれがある。
【０００８】
本発明は、上述の問題点に鑑みてなされたものであり、顧客が棚板に容易に近づくことができるとともに、キックプレートによって体裁が損なわれることがなく、しかもキックプレートやカバープレートが不意に外れないようにした商品陳列装置を提供することを目的としている。
【０００９】
【課題を解決するための手段】
本発明によると、上記課題は、次のようにして解決される。
（１)  左右両側の後側支柱の下端部に、前方に向かって延出するベース脚を取り付けて、左右のベース脚の上端間に棚板を架設するとともに、左右のベース脚の前端部に連結金具を取り付け、前記連結金具におけるベース脚への取り付け部分より前方に位置する前面と、左右両側の前側支柱の後面との間に連結手段を設け、かつ、前記ベース脚の前端部の内側面に、左右方向を向くキックプレートの左右両端部を取り付ける。
【００１０】
（２）上記(１)項において、連結金具に、キックプレートの左右両端部の前面が当接する第１の受部を形成する。
【００１１】
（３）上記(１)または(２)項において、ベース脚の外側面に、ベース脚の側面を覆うベースカバーを取り付けるとともに、連結金具に、前記ベースカバーの前端面が当接する第２の受部を形成する。
【００１２】
（４）上記(１)〜(３)項のいずれかにおいて、キックプレートの左右側両端部に係止孔を設け、この係止孔を、ベース脚の前端部の内側面に突設した上向係止片に係合する。
【００１３】
（５）上記(３)または(４)項のいずれかにおいて、ベース脚の前端部の外側面に上向係止片を突設し、この上向係止片に、連結金具の後部に突設された後向き片の係止孔と、ベースカバーの前端部の内側面に設けられた係止孔とを係合する。
【００１４】
（６）上記(１)〜(５)項のいずれかにおいて、連結手段が、前側支柱の後面に突設された後向きの軸部と、軸部の後端部に設けられた軸部より大径の頭部とからなる係合ピンと、連結金具の前面に穿設された、前記頭部が挿入しうる大径孔と、大径孔の下部に連続して設けられた前記軸部が係合する、大径孔より小幅の下方を向く長孔とからなる係合孔とを備える。
【００１５】
【発明の実施の形態】
以下、本発明の一実施形態である商品陳列装置(１)について、添付図面を参照しながら説明する。
なお、以下の説明では、図１の左下方を「前方」、右上方を「後方」として説明する。
【００１６】
図１及び図２に示すように、左右方向に所要の間隔をもって配設され、かつ下面に高さ調節用のアジャスタ(２)が取り付けられた３本の後側支柱(３)の前面には、多数の係止孔(４)が上下方向に並べて穿設されており、後側支柱(３)の上面開口部には、キャップ(５)が嵌合されている。
隣り合う後側支柱(３)の上端部同士と下端部同士は、左右方向を向く上部連結杆(６)と下部連結杆(７)とにより連結され、左右の後側支柱(３)と上部連結杆(６)と下部連結杆(７)とより連結され、左右の後側支柱と(３)と上部連結杆(６)と下部連結杆(７)とにより囲まれた正面視方形の空間には、バックボード(８)がはめ込まれている。
【００１７】
各後側支柱(３)の下端部における上下に並ぶ３個の係止孔(４)には、前後方向を向くベース脚(９)の後端部に突設された３個の係止片(10)が係合している。
図３〜図５に示すように、ベース脚(９)は、側面視横長方形をなす基板(11)の上端に、基板(11)よりも前方に突出する樋状の支持部(12)を有し、かつ基板(11)の下端に横向き(左端部のベース脚では左向き、真ん中と右端部のベース脚では右向き)の下片(13)を有している。
【００１８】
図３及び図５に示すように、下片(13)の前部には通孔(図示略)が、また、この通孔の直上にはナット(14)が固着されている。ナット(14)の内端部は、基板(11)の前部に穿設された上下方向を向くスリット(15)の下端部に嵌合され、アジャスタ(16)のアジャスタボルト(17)が、通孔を通ってナット(14)に螺合している。
また、各ベース脚(９)の基板(11)の前端部には、４個の上向係止片(18)が、上下に並べて切り起し成形され、最上部と下から２番目の上向係止片(18)は右側に突出し、上から２番目と最下部の上向係止片(18)は左側に突出している。
【００１９】
隣り合うベース脚(９)の支持部(12)には、平面視方形をなす棚板(19)の左右両側部が上方から嵌合され、商品陳列装置(１)の底部は、２枚のベース棚板(19)によって塞がれている。
【００２０】
(20)は、左右両端部のベース脚(９)の基板(11)の前端部に取り付けられる連結金具である。
図３に拡大して示すように、連結金具(20)は、上下２箇所に、大径孔(21)とその下部に大径孔(21)の内径より小幅の下方を向く長孔(22)とからなる係合孔(23)（上方の大径孔(21)の上部は、前片(25)の上端において開口している）が穿設されるとともに、下端に後向きほぼ水平の底片(24)が連設された前片(25)と、前片(25)の外側縁に連設された後向きの側片(26)と、側片(26)の後端に連設された、前片(25)よりも横幅の短い内向きの後片(27)と、後片(27)の内側縁に連設された後向きの当接片(28)と、当接片(28)の内側面の前縁部に突設された内向きの受片(29)とからなっている。
当接片(28)には、４個の方形の係止孔(30)が、上下方向に並べて穿設されている。
【００２１】
左側の連結金具(20)は、上から２番目と最下部の係止孔(30)を、ベース脚(９)の上から２番目と最下部の上向係止片(18)に係合することにより、当接片(28)が基板(11)の外側面に当接した状態で、ベース脚(９)の前端部に取り付けられている。
なお、図示は省略したが、右側の連結金具(20)は、最上部と上から３番目の係止孔(30)を、ベース脚(９)の最上部と上から３番目の上向係止片(18)に係合することにより、右端部のベース脚(９)の前端部に取り付けられている。
【００２２】
(31)は、左右両端部のベース脚(９)の外側面を覆うベースカバーで、その前端部の内側に設けられた折り返し片(32)には、上下２個の係止孔(33)が穿設され、内側面の後部には、内向きの係止片(34)が突設されている。
ベースカバー(31)は、前端部の係止孔(33)をベース脚(９)の左向きの上向係止片(18)に係合するとともに、係止片(34)を左右両端部の後側支柱(３)の外側面の下端部に穿設された係合孔(図示略)に係合することにより、前端上部に形成された切欠部(35)が、支持部(12)の左半部の前端部に係合した状態で、ベース脚(９)と後側支柱(３)とに取り付けられており、図４に示すように、その前面は、連結金具(20)の後片(27)に当接している。
【００２３】
(36)は、左右１対の前側支柱であり、その下端には、高さ調節用のアジャスタ(37)が取り付けられ、図３に示すように、前側支柱(36)の後面の下端部には、後向きの軸部(38a)と、軸部(38a)より大径の頭部(38b)とからなる上下１対の係合ピン(38)が突設されている。
前側支柱(36)は、全体を上方に持ち上げながら係合ピン(38)の頭部(38b)を連結金具(20)の大径孔(21)に嵌合した後、全体を下降させて係合ピン(38)の軸部(38a)を長孔(22)に嵌合させ、アジャスタ(37)を接床させることにより、連結金具(20)の前面に当接した状態で床面に立設される。
【００２４】
係合孔(23)と係合ピン(38)とにより、連結金具(20)と前側支柱(36)とを連結する連結手段が形成されている。
【００２５】
左右方向を向き、かつ左右の連結金具(20)(20)の間隔とほぼ等しい長さのキックプレート(39)の左右両端面には、左右両端部のベース脚(９)の内側の２個の上向係止片(18)に係合する２個の係止孔(40)が穿設されている。各係止孔(40)を上向係止片(18)に係合することにより、キックプレート(39)は、その左右両端面が基板(11)に当接するとともに、左右両側部の前面が受片(29)の後面に当接した状態で(図４参照)、左右の連結金具(20)(20)の間に架設されている。
【００２６】
前側支柱(36)の内側面の上端部には、係合孔(41)が穿設されており(図２参照)、左右方向を向く上部連結部材(42)の左右両端部に突設された係止片(43)が、この係合孔(41)に係合することにより、左右の前側支柱(36)の上端部間に上部連結部材(42)が架設されている。
上部連結部材(42)の後面における左右方向の中央部には、図示を省略した係合孔が穿設されている。
【００２７】
(44)は、前後方向を向く３本の連結部材であり、各連結部材(44)の後端部に形成された係止片(45)は、後側支柱(３)の上端部の係止孔(４)に係合し、各連結部材(44)の前端部に形成された係止片(46)は、前側支柱(36)の後面の上端部に穿設された係合孔(図示略)と、上部連結部材(42)の後面中央部の係合孔に係合し、隣り合う連結部材(44)の間には、平面視方形をなす上部棚板(47)が架設されており、２枚の上部棚板(47)によって商品陳列装置(１)の上面が閉塞されている。
【００２８】
以上のような構成の本実施形態の商品陳列装置(１)によれば、キックプレート(39)は、前側支柱(36)の後方に引っ込んだ状態で設けられているので、顧客がベース棚板(19)またはその上方にブラケット等をもって後側支柱(３)に支持される上方の棚板（図示略）上の商品(図示略)を手にしようとする時に、顧客の足先がキックプレート(39)に当接するおそれは少なく、顧客は、ベース棚板(19)等により近づいて、その上の商品を簡単に取ることができる。
【００２９】
また、キックプレート(39)は前側支柱(36)より後方に位置しているため、前方から商品陳列装置(４)を見た際にはそれほど目立たず、側方から見た場合には、キックプレート(39)はベースカバー(31)によって隠されて、側方からは見えないので、キックプレート(39)によって商品陳列装置(１)の体裁が損なわれることはない。
【００３０】
さらに、キックプレート(39)の左右両端部の前面は受片(29)に当接しているので、キックプレート(39)が左右のベース脚(９)の間から前方に不意に外れることはない。
【００３１】
また、ベースカバー(31)の前端面が、連結金具(20)の後片(27)に当接しているので、ベースカバー(31)に前斜め上向きの力が掛かっても、ベースカバー(31)の前端部がベース脚(31)から不意に外れることはない。
【００３２】
【発明の効果】
(Ａ)  請求項１記載の発明によれば、キックプレートが前側支柱の後方に引っ込んだ状態で設けられているので、顧客が棚板上の商品を手にしようとする時に、顧客の足先がキックプレートに接触するおそれは小さく、顧客は棚板上の商品を簡単に取ることができる。
【００３３】
また、キックプレートは前側支柱より後方に位置しているため、前方から商品陳列装置を見た際にはそれほど目立たず、側方から見た場合には、キックプレートはベース脚によって隠されて、側方からは見えないので、キックプレートによって商品陳列装置の体裁が損なわれることはない。
【００３４】
(Ｂ)  請求項２記載の発明によれば、キックプレートの左右両端部の前面が、第１の受部に当接しているので、キックプレートの前後方向のがたつきや前方への外れ等を防止することができる。
【００３５】
(Ｃ)  請求項３記載の発明によれば、ベース脚の外側面がベースカバーによって覆われるので、商品陳列装置の外観が向上するとともに、ベースカバーの前端面が連結金具の第２の受部に当接するので、ベースカバーが前方に不意に外れることはない。
【００３６】
(Ｄ)  請求項４記載の発明によれば、簡単な構造で、キックプレートをベース脚に簡単に着脱できる。
【００３７】
(Ｅ)  請求項５記載の発明によれば、連結金具とベースカバーを、ベース脚に簡単に着脱できるとともに、単一の上向き係止片に連結金具とベースカバーとをともに係止させることができるので、構造を簡素化することができる。
【００３８】
(Ｆ)  請求項６記載の発明によれば、前側支柱を連結金具に簡単に着脱できる。
【図面の簡単な説明】
【図１】本発明の一実施形態の斜視図である。
【図２】同じく、分解斜視図である。
【図３】同じく、要部の拡大分解斜視図である。
【図４】同じく、図１のＩＶ−ＩＶ線に沿う拡大横断平面図である。
【図５】同じく、ベース脚の拡大正面図である。
【符号の説明】
(１)商品陳列装置
(２)アジャスタ
(３)後側支柱
(４)係止孔
(５)キャップ
(６)上部連結杆
(７)下部連結杆
(８)バックボード
(９)ベース脚
(10)係止片
(11)基板
(12)支持部
(13)下片
(14)ナット
(15)スリット
(16)アジャスタ
(17)アジャスタボルト
(18)上向係止片
(19)ベース棚板
(20)連結金具
(21)大径孔
(22)長孔
(23)係合孔（連結手段）
(24)底片
(25)前片
(26)側片
(27)後片(第２の受部)
(28)当接片（後向き片）
(29)受片(第１の受部)
(30)係止孔
(31)ベースカバー
(32)折り返し片
(33)係止孔
(34)係止片
(35)切欠部
(36)前側支柱
(37)アジャスタ
(38)係合ピン（連結手段）
(38a)軸部
(38b)頭部
(39)キックプレート
(40)係止孔
(41)係合孔
(42)上部連結部材
(43)係止片
(44)連結部材
(45)係止片
(46)係止片
(47)上部棚板
【図１】
0004504505.tif 000002
【図２】
0004504505.tif 000003
【図３】
0004504505.tif 000004
【図４】
0004504505.tif 000005
【図５】
0004504505.tif 000006